(57)【要約】【目的】  ノック操作を繰り返しても芯が一定長さに維持される芯繰り出し装置を提供する。【構成】  当該芯繰り出し装置は、ノック操作部の所定距離前進まで芯把持機構は芯を把持し、かつ固定された状態を維持すると共に、芯ケースと連動してスライダーが前進して芯の前端がストッパーの後端から所定量離れる状態となり、ノック操作部を前記所定距離から更に前進すると、芯ケースと連動してチャックが前進すると共に芯把持機構が芯の把持を解放し、芯の自重落下により芯がストッパー後端に当接し、ノック操作を解除してノック操作部の後退時には、チャックが後退して芯把持機構が芯を把持した後に、スライダーのみが初期位置まで後退して芯がストッパーを挿通し、スライダーの前端から芯が一定の長さで突出可能となる。【選択図】        図１
2006007531.tif 000002
【特許請求の範囲】
【請求項１】
ノック操作部の所定距離前進まで芯把持機構は芯を把持し、かつ固定された状態を維持すると共に、芯ケースと連動してスライダーが前進して芯の前端がストッパーの後端から所定量離れる状態となり、ノック操作部を前記所定距離から更に前進すると、芯ケースと連動してチャックが前進すると共に芯把持機構が芯の把持を解放し、芯の自重落下により芯がストッパー後端に当接し、ノック操作を解除してノック操作部の後退時には、チャックが後退して芯把持機構が芯を把持した後に、スライダーのみが初期位置まで後退して芯がストッパーを挿通し、スライダーの前端から芯が一定の長さで突出可能となるように構成された芯繰り出し装置であって、
前記ストッパーは、スライダー前端近傍の内孔部に設けられて、後端に芯の前端が当接する段部を有した係止部として形成されてなり、その係止部の前方にスライダーの前端孔部が設けられており、芯の前端が前記段部に当接して所定の押圧力が懸かったときに係止部を弾性変形して芯が孔部に挿通可能となると共に、スライダーのストッパー後方内孔部が芯径より僅かに大きく設けられてなる芯繰り出し装置。
【請求項２】
前記ストッパーが、スライダー前端近傍の内孔部に固定された筒状弾性体の内孔部略前端に周状の凸部として形成されてなる請求項１に記載の芯繰り出し装置。
【請求項３】
前記ストッパーが、スライダー前端近傍の内孔部に固定された板状弾性体の前後面に所定箇所で切り込みを入れた膜状の仕切り部として形成されてなる請求項１に記載の芯繰り出し装置。
【請求項４】
前記ストッパーが、スライダー前端近傍の内孔部に固定された筒状硬質体の前端に周状に複数の弾性片が形成され、その弾性片の前端に凸部として形成されてなる請求項１に記載の芯繰り出し装置。
【請求項５】
前記ストッパーが、スライダー前端近傍の内孔部に複数の弾性片が後方に向かって周状に一体で形成され、その弾性片の後端に凸部として形成されてなる請求項１に記載の芯繰り出し装置。
【請求項６】
前記ストッパーが、スライダー前端近傍の内孔部に固定された金属製バネ体の前端に段部として形成されてなる請求項１に記載の芯繰り出し装置。
【請求項７】
前記ストッパーが、金属製バネ体の前端に形成された段部をスライダー前端近傍の内孔部に位置させてなる請求項１に記載の芯繰り出し装置。
【発明の詳細な説明】
【技術分野】
【０００１】
本発明は、ノック操作により、筆記具先端から一定長さの芯を突出でき、且つノック操作を繰り返しても、突出した芯が一定長さに維持される芯繰り出し装置、具体的にはシャープペンシルや筆記芯ホルダー等に用いられる芯繰り出し装置の改良に関する。
【背景技術】
【０００２】
【特許文献１】実開昭５５−９９８８７  従来から良く知られているシャープペンシルの構造を図５９に示すと共に、その図に基づいて説明する。  図５９に示すように、軸筒１２３の先方には軸継手１２４を介して、チャック１２５が設置され、このチャック１２５の把持部外周には、締め具１２６が嵌装している。また、チャック１２５の後端に固着した芯ケース１２７と軸継手１２４との間には附勢されたチャックスプリング１２８が設けられている。このチャックスプリング１２８により、チャック１２５が締め具１２６で締め付けられて、芯１２９を把持している。また、軸筒１２３の先端に取付けられた口先部１３０の先端にはスライダー１３１が固定されている。このスライダー１３１は、軸部１３１ａの前方に先端パイプ１３２が、後方にゴム等の弾性材よりなる保持チャック１３３が固定されて、芯１２９は保持チャック１３３を貫通して先端パイプ１３２より突出している。この状態から、芯ケースの上端部に取付けられたノックカバー（図示せず）を押圧（ノック）して、チャック１２５を前進させるとチャック１２５が締め具１２６で締め付けられているため、芯１２９を把持した状態で前進する。そして、締め具１２６の前端が口先部１３０に設けられた段部１３０ａに当接し、更にチャック１２５が前進すると締め具１２６による締め付けが解除される。また更にチャック１２５が前進すると、締め具１２６は段部１３０ａに係止されるため、チャック１２５のみが前進し、チャック１２５の先端部の把持部が拡開する。また、ノックした状態を解除すると、芯１２９は保持チャック１３３に保持された状態で、更にチャック１２５の把持部が拡開した状態で、前記チャック１２５は後退する。そして、締め具２６が軸継手１２４に当接し、締め具１２６の後退が阻止された状態から、チャック１２５は芯１２９の把持を開始する。そして、ノックが終了した時点（初期の状態）でチャック１２５は芯１２９の把持を完了する。
【０００３】
このように、従来良く知られるシャープペンシルは、ノック操作を繰り返す毎に締め具１２６の前端が段部１３０ａに当接し、チャック１２５の把持部が拡開した状態と、締め具１２６の前端が軸継手１２４に当接し、チャック１２５の把持部が把持する状態とを、繰り返すことにより、芯１２９が順次繰り出される。
前記した従来のシャープペンシルにあっては、筆記に伴い芯が消耗するので時々ノック操作をして芯を繰り出す。このノック操作を忘れると、芯が先端パイプ１３２の前端まで摩滅し、筆記が擦れたり、ついには硬い先端パイプの前端で紙を破いてしまうことさえある。一方、必要以上にノック操作をして芯を繰り出し、突出した芯が長すぎる場合があり、芯折れの問題が頻発している。また、筆記中に無意識にノックして芯を出しすぎてしまうこともある。
【０００４】
上述した問題を解決する手段として、ノック操作により、筆記具先端から一定長さの芯を突出でき、且つノック操作を繰り返しても、突出した芯が一定長さに維持される筆記芯ホルダーが実開昭５５−９９８８７号公報に示されている。
この筆記芯ホルダーについて、図６０乃至図６３に基づいて説明する。
図に示すように、軸筒１５１の先端部は、芯を把持するチャック１５３が嵌合するテーパ孔１５２が形成されている。また軸筒１５１の内部には、芯１５５を収納する管状の芯ケース１５４が設けられている。
また、前記チャック１５３の略中間位置に環状突起１５６が形成されている。そして、前記環状突起１５６と芯ケース１５４の間にコイルスプリング１５７を介装すると共に、前記芯ケース１５４の下部に設けられた孔１５４ａ内に、前記チャック１５３の上端が摺動可能に取付けられている。また、前記環状突起１５６と軸筒１５１（テーパ孔１５２）の上面との間にコイルスプリング１５８が介装されている。前記コイルスプリング１５８は、コイルスプリング１５７より反発力が強いばねが用いられている。
また、芯ケース１５４の下部周面に支持腕１５９が固着されている。この支持腕１５９の先端部には、チャック１５３の先端部に嵌合するストッパー１６０が形成されている。  このように構成された筆記芯ホルダーの動作について説明すると、まず、キャップ１６１を外して、芯ケース１５４及びチャック１５３内に筆記芯１５５を投入し、前記キャップ１６１を被せる（図６０参照）。その後、キャップ１６１をノックすると、芯ケース１５４がコイルスプリング１５７を圧縮しつつ、下方に移動する。この移動に伴い、支持腕１５９も下方に移動し、ストッパー１６０はチャック１５３の先端部から離れる（図６１参照）。なお、このとき、チャック１５３の上端部は芯ケース１５４の孔１５４ａ内を摺動する。そして、更にキャップ１６１をノックすると、芯ケース１５４がコイルスプリング１５８を圧縮しつつ、下方に移動する。この移動に伴い、チャック１５３の先端部（把持部）は拡開し、芯１５５は自重によりストッパー１６０まで落下する（図６２参照）。  その後、キャップ１６１のノックを解除（解放）すると、コイルスプリング１５７，１５８の反発力で、チャック１５３及び支持腕１５９が初期状態に復帰する。このとき、チャック１５３はテーパ孔１５２に嵌合によって閉じられ、芯１５５を把持する。また、芯１５５がチャック１５３に保持されているため、ストッパー１６０から芯１５５が所定の長さで突出する  （図６３参照）。
そして、再び、キャップ１６１をノックすると、芯１５５はチャック１５３に保持されているため、支持腕のみが下方に移動し、図６２に示す状態となり、ノックを解放すると図６３に示す状態となる。
【０００５】
このように、この提案された筆記芯ホルダーにあっては、ノック操作により、筆記具先端から一定長さの芯を突出でき、且つノック操作を繰り返しても、突出した芯を一定長さに維持することができる。
しかしながら、ストッパー１６０を後方に附勢しているコイルスプリング１５７とチャック１５３を後方に附勢しているコイルスプリング１５８とが、チャック１５３の環状突起１５６を挟んで直列に配置された構成となっているので、芯１５５の突出長さが安定しない不具合がある。例えば、ストッパー１６０を附勢しているコイルスプリング１５７の圧縮が進んで附勢力が増し、コレットチャック１５３を附勢しているコイルスプリング１５８の初期附勢力と等しくなった時点で、チャック１５３の移動が始まり、チャック１５３の拡開が始まる。即ち、各部材間での摺動抵抗その他の要因によってチャック１５３の拡開時期が遅れ、芯の突出量が安定しない虞がある。
【０００６】
また、ストッパー１６０を附勢しているコイルスプリング１５７はチャック１５３の拡開が始まった以降も引き続き圧縮されるので、ストッパー１６０は前進を続ける。その結果、芯１５５の突出量を決定するストッパー１６０とチャック１５３先端の距離は離れ続け、芯の突出量が安定しない虞がある。
また、この作動におけるコイルスプリングの附勢力の関係は、ストッパー１６０を後方に附勢しているコイルスプリング１５７の初期附勢力をｘ１、チャック１５３が拡開を開始する時点の附勢力をｘ２、またチャック１５３を後方に附勢しているコイルスプリング１５８の初期附勢力をｙ１とすると、ｘ１＜ｙ１、ｘ２＝ｙ１の関係が成り立つ。
チャック１５３を後方に附勢するコイルスプリング１５８は、ストッパー１６０を後方に附勢するコイルスプリング１５７の附勢力に対して前述の通りの規制（より強い附勢力のコイルスプリング１５８である必要がある）を受けることとなり、その結果、例えば、シャープペンシル等に於いて芯が細い場合、チャックによって芯が破損、損傷を受け、いわゆる食いちぎられ（破損する）、表面の荒れる（損傷する）懸念がある。
また他の作動として、ストッパー１６０を附勢しているコイルスプリング１５７が全圧縮した時点でコレットチャック１５３の拡開が始まる場合は、コイルスプリング１５７の全圧縮時の全長は、線材径のばらつきや、巻き数のばらつき、コイルの密着時の径方向のズレなどにより容易に変化する事が考えられる。
また、この作動におけるスプリングの附勢力の関係は、ストッパー１６０を後方に附勢しているコイルスプリング１５７の初期附勢力をＸ１、全圧縮した時の附勢力をＸ２、またチャック１５３を後方に附勢しているコイルスプリング１５８の初期附勢力をＹ１とすると、Ｘ１＜Ｙ１かつＸ２＜Ｙ１の関係が成り立つ。
この作動においてもチャック１５３を後方に附勢するコイルスプリング１５８は、ストッパー１６０を後方に附勢するコイルスプリング１５７の附勢力に対して前述の通りの規制（より強い附勢力のコイルスプリング１５８である必要がある）を受けることとなり、前記したように、芯が細い場合は、チャック１５３によって芯１５５が食いちぎられ、また荒れが生じる懸念がある。
また、この筆記芯ホルダーでは、加工が非常に困難と思われる部材を用いていることも、この考案を実現するには不具合となっている。
例えば、軸筒１５１について述べると、先端にテーパ孔１５２を設ける他、ストッパー１６０の支持腕１５９を挿通するための通孔１５１ａ（図６１参照）を２箇所設ける必要があり、非常に加工が難しい形状であり、生産性が悪く、非常に高価な部品になることが予想される。
また、支持腕１５９は芯ケース１５４の先端までの長い距離を必要とし、さらに軸筒１５１内を挿通するので、厚み、幅ともに十分には確保できないことが予想される。
また、ストッパー１６０は、支持腕１５９に一体に設けられているが、このような支持腕は、非常に加工が難しい形状であり、生産性が悪く、非常に高価な部品になることが予想される。また、この筆記芯ホルダーは組立も困難であるという不具合がある。例えばチャック１５３を後方に附勢しているコイルスプリング１５８は、チャック１５８の中央部に設けられた環状突起１５６と軸筒１５１の先端内面間に敷設されているが、推察する限りでは組み付け不可能である。
また上記不具合の他、この考案は筆記芯ホルダーと有るように太い芯を突出させるイメージのものであると推察され、細い芯を使用するシャープペンシルの構造に対しては不具合な構造である。例えば、シャープペンシルにあっては、芯が細く、芯折れ防止するため芯を突出する先端部とチャックの間は剛性を配して心ズレが生じないように配慮される必要がある。また、芯折れ防止するため芯の突出長さは短く設定されており、筆記時に先端が容易に視認されるように筆記具の先端はテーパ状に細く形成する必要がある。
【発明の開示】
【発明が解決しようとする課題】
【０００７】
本発明は、芯折れの問題や筆記中に無意識にノックして、芯を繰出してしまう問題を解決するため、ノック操作により筆記具先端から一定長さの芯が突出され、かつノック操作を繰り返しても芯が一定長さに維持される芯繰り出し装置であって、芯の突出長さが安定して行われ、先端が容易に視認されて使い勝手が良く、細い芯であってもチャックの把持部で食いちぎられる虞がない芯繰り出し装置を提供することを目的とする。
また、芯がスライダーに設けられたストッパーの後端に当接、且つストッパーを弾性変形させて挿通、離脱を頻繁に繰り返すことから、ストッパーの耐久性に問題があり、本発明はストッパーの機能性を満足した耐久性を維持することを課題とする。
【課題を解決するための手段】
【０００８】
上記課題を達成するために本発明の芯繰り出し装置は以下の構成を有する。
ノック操作部の所定距離前進まで芯把持機構は芯を把持し、かつ固定された状態を維持すると共に、芯ケースと連動してスライダーが前進して芯の前端がストッパーの後端から所定量離れる状態となり、ノック操作部を前記所定距離から更に前進すると、芯ケースと連動してスライダーとチャックが前進すると共に芯把持機構が芯の把持を解放し、芯の自重落下により芯がストッパー後端に当接し、ノック操作を解除してノック操作部の後退時には、スライダーとチャックが後退して芯把持機構が芯を把持した後に、スライダーのみが初期位置まで後退して芯がストッパーを挿通し、スライダーの前端から芯が一定の長さで突出可能となるように構成されたことを特徴とする。
【０００９】
また、ノック操作部の所定距離前進まで芯把機構は芯を把持し、かつ固定された状態を維持すると共に、芯ケースと連動してスライダーが前進して芯の前端がストッパーの後端から所定量離れる状態となり、ノック操作部を前記所定距離から更に前進すると、芯ケースと連動してチャックが前進すると共に芯把持機構が芯の把持を解放し、芯の自重落下により芯がストッパー後端に当接し、ノック操作を解除してノック操作部の後退時には、芯ケースと共にチャックが後退して芯把持機構が芯を把持して固定された後に、芯ケースと共にスライダーが初期位置まで後退して芯がストッパーを挿通し、スライダーの前端から芯が一定の長さで突出可能となるように構成されたことを特徴とする。
【００１０】
また、上述したストッパーは、スライダーの前端近傍の内孔部に設けられて、後端に芯の前端が当接する段部を有した係止部が形成されてなり、その係止部の前方にスライダーの前端孔部が設けられており、芯の前端が前記段部に当接して所定の押圧力が懸かったときに係止部を弾性変形して芯が孔部に挿通可能となると共に、スライダーのストッパー後方内孔部とスライダーの前端孔部が芯径より僅かに大きく設けられてなる。
【発明の効果】
【００１１】
このように、本発明にかかるこの芯繰り出し装置は、芯把持機構は芯把持機構後部の段部と芯ケースの段部とが離反または当接することにより芯を把持、解放する構造であって、芯把持機構が芯を把持、解放する時期は、芯把持機構後部の作動部と芯ケースの作動部との空間距離により設定されている。
従って、芯の突出長さが安定して行われることが可能である。また芯が細くても芯を突出するスライダーと芯把持機構との間は剛性を有して心ズレが生じない構造とすることができる。また、筆記時に先端が容易に視認されるように筆記具の先端はテーパ状に細く形成することが可能である。
【００１２】
更に、上記目的を達成するためになされた本発明にかかる芯繰り出し装置は、ノック操作により芯把持機構が芯を解放し、ノック操作を解消した時に芯把持機構が芯を把持する芯繰り出し装置において、軸筒の先端に設けられた口先部の先端孔から前後動可能に突出するスライダーが設けられ、スライダーの内孔部に、芯を挿通可能にすると共に所定の押圧力以下では芯の先端が当接して芯の挿通を阻止する弾性変位可能なストッパーが固定されて、前記スライダーはリンクユニットを介して芯ケースと連動するようにスプリングにより後方に附勢され、前記スライダー後方に芯把持機構が芯を把持する状態で設けられ、ノック操作を開始すると、芯把持機構は芯を把持した状態を維持し、リンクユニットを介して芯ケースと連動してスライダーが前進し、スライダーが最前進して前進を阻止された状態で芯がストッパーの後端から所定量離れる状態となり、さらにノック操作が進むと、リンクユニットが縮むことで芯ケースが前進するとともに芯把持機構が芯を解放し、芯の自重落下により芯がストッパー後端に当接し、ノック操作の解消時にはスライダーが最前進した位置を維持しながら芯把持機構が芯を把持した後、スライダーが初期位置まで後退して芯がストッパーを挿通し、スライダーの前端から芯が所定の長さで突出することを特徴としている。
このような芯繰り出し装置であっても、芯が所定長さで突出可能となり、突出長さを安定させることができる。
【発明を実施するための最良の形態】
【００１３】
実施例について図面を参照して説明する。図１乃至図１６は本発明の第一の実施形態にかかる芯繰出し装置を示している。
この第１の実施形態であるシャープペンシルは、図１、図２に示すように、軸筒１、口先部２、スライダー３、芯把持機構９、芯ケース１５、ノックカバー１７等の部品あるいは部品ユニットから構成されている。以下、この第一の実施形態の構成について、まず、部分ユニットである、芯把持機構９およびスライダー３について説明する。
【００１４】
まず、芯把持機構９について説明する。この芯把持機構９は、図３に示すように、固定筒１０、チャック１１、チャックスプリング１４、チャック継手１３を備えている。
前記固定筒１０は、円筒状の両側面が平坦にそぎ落とされたガイド面１０ａを有し、前端に細径の先筒部１０ｂが形成されている。この先筒部１０ｂの内孔には、締め部として締めリング１２が圧入などによって固着されている。
この締めリング１２は筆記具の全体を細くするなどの設計都合によって薄肉の金属製の筒体で形成されるが、本発明の構成としては必ずしも必要では無く、先筒部１０ｂの内孔に締め部として一体に形成することもできる。
【００１５】
また、チャック１１は、通常のシャープペンシルに使用されるチャックと同じであり、把持部１１ａの外周には二つ割り又は三つ割のスリットが形成され、拡縮可能に形成され、そのチャック１１の後端には凸状の係止部１１ｂが形成されている。
次に、チャック継手１３の軸部１３ａにチャックスプリング１４を装着し、段部１３ｂにチャックスプリング１４の後端を当接させると共に前端を固定筒１０の後端に当接させる。この状態で、チャック１１に締めリング１２を挿通して、固定筒１０の前端から前記チャック１１を挿入する。
そして、前記チャック１１の係止部１１ｂを前記チャック継手１３の軸部１３ａの前端に設けられた係止孔１３ｃに圧入係止させることによって、図４に示される芯把持機構９が形成される。
【００１６】
次にスライダー３について、図１、図２、図５、図６に基づいて説明する。
このスライダー３は、細径の先部材４と、ストッパー７と、ガイドパイプ６と、後部材５とを備えている。
この先部材４の内孔の略前端に、弾性体よりなるストッパー７が挿着されている。また先部材４の内孔には、前記ストッパー７の後端を抑えるようにして、ガイドパイプ６の前方部が固定されている。
更に、後部材５は、小径部５ｃと大径部５ｄを備え、小径部５ｃと大径部５ｄとは段部５ａによって区切られている。また、小径部５ｃには、孔５ｅが形成され、大径部５ｄの後方には円盤状の鍔５ｂが形成されている。
そして、前記孔５ｅにガイドパイプ６の後方部が固定されると共に、後部材５の小径部５ｃの前端部が先部材４の後端孔に固定されて、図６に示されるスライダー３が形成される。尚、スライダー３は、ガイドパイプ６の内孔とストッパー７の内孔を通じて芯が挿通するが、所定の押圧力以下では芯の先端がストッパー７の後端に当接して、芯が挿通しないように構成されている。このストッパー７は、基本的には弾性変形可能なゴム等の材質で形成されている。
【００１７】
次に、図１〜７、１３〜１６に基づいて、本発明の全体の構成について説明する。
この第１の実施形態の芯繰り出し装置にあっては、図２に示すように軸筒１の内孔の前部内壁に周状の突部あるいは周状の段部１ａが設けられている。
そして、上述した芯把持機構９が軸筒１の前方から挿入され、固定筒１０の後端が段部１ａの前部に当接して固定される。
続いて、軸筒１の後方から芯ケース１５が挿入される。なお、この芯ケース１５の前部には、相対向して脚部１５ａが形成されている。この芯ケース１５が挿入によって、芯ケース１５の脚部１５ａの内面側が、固定筒１０の平坦なガイド面１０ａに対接された状態となる（図７参照）。
前記芯ケース１５は、図２に示すように長い筒状体で、後端にノックカバー１７を着脱可能に止着する軸部１５ｂを有し、そのやや前方に鍔部１５ｃを有している。芯ケース脚部１５ａの後端部には段部１５ｄが設けられており、この段部１５ｄが、ノック動作により芯把持機構９のチャック継手１３を作動させる。
また、芯ケース１５を軸筒１の後方より挿入した状態で、天冠１６を軸筒1 の後端外周部に取付ける。
【００１８】
また、図１、２に示すように、スライダー３の後部材５の段部５ａ前面に、後端を当接させた状態でスプリング８を装着し、そのスプリング８の前端を口先部２の内孔に設けられた段部に当接させて、スライダー３を口先部２の内孔に嵌挿する。そして、口先部２の軸部２ａに設けられた螺子部を、軸筒１に設けた螺子部と螺合して、軸部２ａの後端２ｄと軸筒１の段部１ａとの間に固定筒１０を固定する。
このとき、スライダー３の鍔部５ｂの後端は、芯ケース１５前端の脚部１５ａに当接した状態となる。また、上述したように軸筒１の後端外周部に天冠１６が取り付けられているため、天冠１６後端の内段１６ａが芯ケース１５の鍔部１５ｃの後端に当接し、芯ケース１５を前方に押圧した状態になされている。
また、芯ケース１５の後端に設けられた軸部１５ｂの外周にはノックカバー１７が着脱可能に止着される。
なお、上述した実施例の固定筒１０は、円筒状の両側面が平坦にそぎ落とされたガイド面１０ａを有し、芯ケース１５の脚部１５ａの内面側が固定筒１０の平坦なガイド面１０ａに対接された状態で挿入されてガイドされているが、このガイドの形態は設計都合で様々に変更できるものである。
また、芯ケース１５が回転方向に無理にねじられた時に、脚部１５ａがねじられて変形や破損を受けるのを防止するため、芯ケース１５に回転止め設けることもできる。この回転止めの形態も設計都合で様々に変更でき、芯ケース１５を軸筒１に対して、回転止めすれば部品点数を増やさず回転を防止することができる。
【００１９】
また、前記したように軸筒１の後端外周部に天冠１６が設けられており、軸筒１に対し天冠１６を回転、移動させるように設ければ、芯ケース１５を前後動することができる。そしてこの芯ケース１４の移動によって、図８に示すように、芯ケースの段部１５ｄとチャック継手の段部１３ｂとの間隔Ｌ３を伸縮させることができる。即ち、間隔Ｌ３の調節装置とすることが可能となる。
この場合、調節装置は、螺合構造が一般的であるがメカニズムはこれに限定されない。  また、調節位置がずれないようにロック機構を設けたり、調節のレベルが解るように表示を設けたりすることもできる。尚、前記間隔Ｌ３を適正値とした状態で天冠１６を固定することも考えられる。
【００２０】
次に、図１３に基づいて、スライダー３の変形例であるスライダー１８を説明する。
このスライダー１８は上述したスライダー３と基本的な構成は同じであり、ストッパー１９の構成のみ異なる。ストッパー１９は、図１４に示すように、弾性部１９ａの内孔周面に複数の硬質部１９ｂが設けられている。
そのため、芯の先端が硬質部に当接し、芯の先端に所定の押圧力が懸かった状態で、芯が挿通することができる。例えば、ゴムのような材質で弾性部１９ａは形成され、硬質部１９ｂは、球体に限らず異形体の金属や非金属の粒体で形成される。
また、図１５に基づいて、スライダー３の変形例であるスライダー２０を説明する。このスライダー２０もストッパー２１の構成のみ異なる。ストッパー２１は、弾性部２１ａの内孔周面にリング状の硬質部２１ｂが設けられている。そして、芯の先端が硬質部２１ｂに当接し、芯の先端に適宜押圧力が懸かった状態で芯が挿通可能となるように構成されている。前記ストッパー２１の硬質部２１ｂは、金属や非金属でＣリング状に形成されて弾性体２１ａ内孔の凹溝に固定して設けられている。
尚、ストッパーは、金属や非金属材でバネ性を持たせて、芯の先端に所定の押圧力が懸かった状態で芯が挿通可能であれば良く、他の構成を採用することができる。
【００２１】
また、この実施形態のシャープペンシルは以上のように構成されているが、各部分ユニットや部品の形態は限定されない部分を諸所に含んでいる。一例を挙げれば、スライダー３の構成は多くの部品で組み上げられているが、極端には一部品で形成することも可能である。スライダー後方部に脚部を設け、脚部後端面と芯ケース前端面を当接させても良い。また、口先部２とスライダー３の間に設けられたスプリング８により、芯ケース１５はスライダー３と一体となって後方に附勢されているが、スプリング８は軸筒１の後方に設けることも可能である。また、スライダーと芯ケースとを連結、固定し、芯ケースをスプリングにより後方に附勢しても良い。
それらは設計都合によって最適な形態が設定される。
【００２２】
続いて、図８〜図１２に基づいて第１の実施形態の芯繰り出し装置の動作について説明する。図８は、筆記状態でノック作動前の初期状態を示している。
この状態で、チャック１１は、チャックスプリング１４により後方へ附勢され、芯２２を把持し、芯ケース１５とスライダー３はスプリング８により一体となって後方部へ押し付けられている。ここでスプリング８とチャックスプリング１４の強さはそれぞれ独立して設定できる。従って、チャックスプリング１４の強さは芯を把持するための適正な強さに設定することが可能となる。
この状態で、前記したように芯２２はチャック１１に把持され、スライダー３より突出しており、筆記可能である。そして、図８の筆記状態で芯が磨耗してくると、芯ケース１５の後端部（ノックカバー１７）をノックする。ノックを開始した初期の状態（芯ケース１５が距離Ｌ３移動した状態）を図９に示す。
ノックを開始すると芯ケース１５は、スライダー３と一体となってスプリング８の圧縮を開始する。図８，９に示すように、芯ケース段部１５ｄとチャック継手段部１３ｂとの距離Ｌ３だけスプリング８が圧縮されたところで、芯ケース段部１５ｄがチャック継手段部１３ｂに当接する。このとき芯２２はチャック１１に把持された状態で固定されており、スライダー３の先部材４が前方に移動し、ストッパー７は芯２２の前方へ抜ける。
【００２３】
そして、図９の状態よりさらにノックをしていくとスライダー３と芯ケース１５は連動しているので、スプリング８の圧縮を継続しながらチャックスプリング１４の圧縮を開始する。この状態でチャック１１も前方へ移動を開始し、芯２２の把持を開放し、後部材５の段部５ａが口先部段部２ｃに当接する事によりフルノック状態となる。フルノック状態では芯２２はチャック１１及びストッパー７より開放されており、芯自重により、芯は落下し、ストッパー７の後端面に当接する。図１０は芯２２を開放しているフルノック状態である。フルノック状態よりノックを解除していくと、芯２２、スライダー３、芯ケース１５、チャック１１は一体となって後方へ移動を開始する。チャック１１が固定筒１０の締めリング１２にチャックスプリング１４によって引き込まれ、芯２２の把持を完了する（図１１参照）。さらにノックを解除していくと、チャック１１は固定筒１０によって後方への移動を停止して芯把持状態を維持する。一方、芯ケース１５、スライダー３はさらに後方へ移動する。このとき、芯ケース段部１５ｄがチャック継手段部１３ｂと距離Ｌ３となる初期状態まで戻る。
前記チャック１１に把持された芯２２は、スライダー３と芯ケース１５がさらに後方へ移動することにより、ストッパー７を挿通し、距離Ｌ１だけスライダー３先端より突出する（図１２参照）。即ち、Ｌ１＝Ｌ３−Ｌ２となる。
この状態から、再びノック動作しても、芯ケース１５が距離Ｌ３移動することによって、図９に示すようにストッパー７は芯２２の前方へ抜ける。そして、前記した図１０乃至図１２に示される状態になされる。
このように、ノック動作を繰り返しても、図９乃至図１２に示した動作を繰り返すことにより、芯２２は常に一定量しかスライダー３より突出しない。また筆記によって芯２２が磨耗した場合も、この動作により所定の芯突出長さＬ１だけスライダー３より突出可能である。
【００２４】
次に、第２の実施形態について図面を参照して説明する。図１７乃至図３５は本発明の第２の実施形態にかかる芯繰出し装置を示している。
この第２の実施形態であるシャープペンシルは、図１７、図１８に示すように、軸筒５１、口先部５２、スライダー５３、芯把持機構７９、芯ケース６４、ノックカバー６８等の部品あるいは部品ユニットから構成されている。以下、この第２の実施形態の構成について、まず、部分ユニットである、芯把持機構７９、リンクユニット８０、スライダー５３について説明する。
まず、芯把持機構７９について、図１７、図１８、図１９、図２０基づいて説明する。  
【００２５】
図１９に示されるように、固定筒５８は、円筒状の両側面が平坦に削ぎ落とされたガイド面５８ａを有し、前端には細径の先筒部５８ｂが形成されている。この先筒部５８ｂの内孔には、締め部として締めリング６１が圧入によって固着されている。
前記締めリング６１は筆記具の全体を細くするなどの設計都合によって薄肉の金属製の筒体で形成されるが、本発明の構成としては必ずしも必要ではなく、先筒部５８ｂの内孔締め部として一体に形成する事もできる。
また、チャック６０は、通常のシャープペンシルに使用されるチャックと同じであり、把持部６０ａの外周には二つ割又は三つ割のスリットが形成され、拡縮可能に形成されている。チャック６０の後端には凸状の係止部６０ｂが形成されている。
この把持機構７９は次のように形成される。まず、チャック継手６２の軸部６２ａにチャックスプリング６３を装着し、段部６２ｂにチャックスプリング６３の後端を当接させると共に前端を固定筒５８の後端に当接させる。この状態で、チャック６０を締めリング６１に挿通して、固定筒５８の前端から前記チャック６０を挿入する。
そして、前記チャック６０の係止部６０ｂを前記チャック継手６２の軸部６２ａの前端に設けられた係止孔６２ｃに圧入係止させることによって、図２０に示される芯把持機構７９が形成される。
【００２６】
次に、リンクユニット８０について、図１７、図１８、図２１、図２２に基づいて説明する。
このリンクユニット８０は、図２１に示すようにリンク５７、リンクスプリング５９、リンク継手５６から構成されている。
前記リンク５７は、筒部５７ａの後端の外周に沿った２ヶ所に、内面側を平坦面とし後方に向かって長く延設された脚部５７ｃが形成されている。また、前記筒部５７ａの内孔後端には内段部５７ｄが設けられ、また筒部５７ａの先端２ヶ所に鉤状の係止部５７ｂが形成されている。
また、前記リンク継手５６は筒体となっており、側面２ヶ所にスリット部５６ａが穿設され、前端に内段部５６ｂが設けられている。
そして、前記リンク継手５６の内段部５６ｂにリンクスプリング５９の前端を当接させ、後端をリンク５７の内段部５７ｄに当接させた状態で、係止部５７ｂをスリット部５６ａに弾性的に嵌入させて係止させる。これにより、図２２に示されるリンクユニット８０が形成される。
【００２７】
次に、スライダー５３について、図１７、図１８、図２３、図２４に基づいて説明する。このスライダー５３は、図２３に示すように後部材５３ｂ、ガイドパイプ５３ｃ、ストッパー５４、先部材５３ａから構成されている。  
このスライダー５３は、細径の先部材５３ａの内孔の略前端に弾性体よりなるストッパー５４が装着されている。そして、このストッパー５４の後端を押さえるように、ガイドパイプ５３ｃの前方部が先部材５３ａの内孔に固定されている。
一方、後部材５３ｂは、後端に鍔部５３ｄが形成され、その前方に軸部５３ｅが一体に形成されている。この後部材５３ｂの軸部５３ｅの孔５３ｆに、ガイドパイプ５３ｃの後方部が挿入固定されている。
また、後部材５３ｂの前端が先部材５３ａの後端孔に挿入固定されることによって、図２４に示されるスライダー５３が形成される。
尚、スライダー５３は、ガイドパイプ５３ｃの内孔とストッパー５４の内孔を通じて芯が挿通するが、所定の押圧力以下では芯の先端がストッパー５４の後端に当接して、芯が挿通しないように構成されている。このストッパー５４は、基本的には弾性変位可能なゴム等の材質で形成されている。
【００２８】
次に、図１７、図１８、図２５、図２６に基づいて、本発明の全体の構成について説明する。
この第２の実施形態の芯繰り出し装置は、図１８に示すように軸筒５１の内孔の前部内壁に周状の突部あるいは周状の段部５１ａが設けられている。
そして、上述した芯把持機構７９が軸筒５１の前方から挿入され、固定筒５８の後端が段部５１ａの前部に当接して固定されている。続いて、リンクユニット８０が軸筒５１の前方から挿入される。このとき、リンク５７の脚部５７ｃの内面が固定筒５８の平坦なガイド面５８ａに対接された状態で挿入される。
また、芯ケース６４は、図１８に示すように長い筒状体で、後端にノックカバー６８を着脱可能に止着する軸部６４ｄを有し、そのやや前方に鍔部６４ｆを有している。その略前端部から筒状体のほぼ前端近くまで周面に沿って２ヶ所で平坦部６４ａが形成され、段部６４ｅを経て更に短い平坦部６４ｂが形成されている。
また、回転止めリング６７の内孔部壁面に、対面する２ヶ所の平坦部が形成されている。そして、この回転止めリング６７は芯ケース６４の前方から被嵌され、前記回転止めリング６７の平坦部が芯ケース６４の平坦部６４ａに対接して装着される。これにより、回転止めリング６７と芯ケース６４は回転方向に対して一体となり、ずれることがない。
また、図２６に示すように、上述したリンク５７の脚部５７ｃの後端部の内面が芯ケース６４の平坦部６４ｂに接している。前記脚部５７ｃの後端部外周面は、固定リング６５の内面に圧入状態で密接している。その結果、リンク５７が芯ケース６４と一体に固定される。
【００２９】
また、スライダー５３の鍔部５３ｄの前面に、後端を当接させた状態でスプリング５５を装着し、そのスプリング５５の前端を口先部５２の内孔に設けられた段部５２ｃに当接させる。
そして、スライダー５３を口先部５２の内孔に嵌挿すると共に、口先部５２に設けた螺子部５２ａを軸筒５１に設けた螺子部５１ｂと螺合して、口先部５２の後端と軸筒５１の段部５１ａとの間に固定筒５８を固定する。
またこのとき、スライダー５３の鍔部５３ｄの後端が、リンク継手５６の前端に当接した状態となる。また、図１７に示すように、上述した回転止めリング６７の前方が軸筒５１の後端孔に固定され、芯ケース６４は軸筒５１に対し回転方向に回転止めされる。
また、前記軸筒５１の後端外周部に設けられた螺子部５１ｃには、天冠６６が螺合して装着される。そのとき、スプリング５５により、天冠６６後端の内段６６ａに芯ケース６４の鍔部６４ｆは押圧された状態におかれている。      
なお、固定筒５８は、円筒状の両側面が平坦にこそぎ落とされたガイド面５８ａを有し、リンク５７の脚部５７ｃの内面側が固定筒５８の平坦なガイド面５８ａに対接された状態で挿入され、脚部５７ｃをガイドするように構成されているが、このガイドの形態は設計都合で様々に変更できるものである。また、上記実施形態にあっては、別体の固定筒５８と軸筒５１とを固定し、一体になした場合を示したが、この固定筒５８は軸筒５１に一体に形成されたものであっても良い。
【００３０】
また、芯ケース６４は鍔部６４ｆの略前端から筒状体のほぼ前端近くまで周面に沿って２ヶ所で平坦部６４ａが形成され、その平坦部６４ａに回転止めリング６７を装着するように構成されている。しかしながら、これは基本的には必須のものではなく、芯ケース６４が万一、回転方向に無理にねじられた時にリンク５７の脚部５７ｃがねじられて変形や破損を受けるのを防止するために設けられるものである。
そのため、前記変形や破損を防止できるものであれば良く、この回転止めの形態も設計都合で様々に変更できるものである。
さらに、芯ケース６４を軸筒５１に対して、直接回転止めすれば、回転止めリング６７は不要とすることもできる。
また、前記したように軸筒５１の後端外周部に、天冠６６が螺合して装着されている。このように、天冠６６を螺合させ、軸筒５１に対し天冠６６を回転、移動させることにより、芯ケース６４を前後動させることができる。この芯ケース６４の移動によって、スライダー５３を移動させることができる。その結果、図２６に示すように、スライダー５３の鍔部５３ｄの前面と口先部５２の内段部との間隔Ｐを伸縮させることができる。即ち、軸筒５１に対する天冠６６の回転、移動が、間隔Ｐの調節装置となっている。
この調節装置は、前記軸筒５１と天冠６６のように、螺合構造が一般的であるがメカニズムはこれに限定されない。また、調節位置がずれないようにロック機構を設けたり、調節のレベルが解るように表示を設けたりすることもできる。
尚、前記間隔Ｐを適正値とした状態で天冠６６を固定することも考えられる。
【００３１】
この実施形態の芯繰り出し装置は以上のように構成されるが、各部分のユニットや部品の形態は限定されない部分を諸所に含んでいる。一例を挙げれば、スライダー５３の構成は多くの部品で組み上げられているが、極端には一部品で形成することも可能である。また、スライダーの後部材５３ｂとリンク継手５６は一部品とすることも可能である。
また、上述した実施形態において、リンク継手５６とリンク５７のそれぞれの内段部間にリンクスプリング５９を敷設して、リンク継手５６に対してリンク５７に所定の強さ以上の押圧がかかった時に、リンク継手５６に対して、リンク５７が前進可能となる作用部が設けられている。しかし、リンク継手５６とリンク５７を一体に形成して、リンク後方部と芯ケースの前方部との間に同様の作用部を設けることも可能である。それらは設計都合によって最適な形態が設定される。
【００３２】
次に、図２５〜図３５に基づいて、第２の実施形態の芯繰り出し装置の動作を説明する。まず、図２５はスライダーの先部材５３ａの先端に芯６９の先端がやや突出した作動初期の状態を示している。
図２７は図２５のＡ−Ａ断面図、図２６は図２７のＢ−Ｂ断面方向の図２５に対応する断面図である。即ち、図２５と図２６とは、９０度ずれた断面を示している。また、図２６に示すように、この芯繰り出し装置にあっては、スライダー５３の鍔部５３ｄの前面と口先部５２の後方の内段部５２ｂとの間隔をＰ、ストッパー５４の後端と先部材５３ａの前端との間隔をＬ２、芯ケース６４の前方内孔に形成された内段部６４ｃとチャック継手６２の後端との間隔をＬ３に設定している。図２５、図２６に示す状態において、天冠６８をノックして芯ケース６４を前進させ、リンクユニット８０を介して、スプリング５５を圧縮して、スライダー５３を前進させる。その結果、図２８、図２９に示すように、スライダー５３の鍔部５３ｄの前面が口先部５２の後方の内段部５２ｂに当接する。なお、図２９は上記と同様に図２８に示された断面の９０度ずれた断面を示している。
【００３３】
この図２８、図２９に示す状態にあっては、リンク継手５６の内段部５６ｂとリンク５７の内段部５７ｃとの間に敷設されたリンクスプリング５９は圧縮されず、リンク５７の係止部５７ｂは、リンク継手５６のスリット部５６ａの後端に係止された状態を保っている。即ち、リンクスプリング５９は、スライダー５３の鍔部５３ｄの前面と口先部５２の前方の内段部との間に敷設されたスプリング５５に対して十分な強さに設定されている。また、芯ケース６４の前方内孔に形成された内段部６４ｃは前進するが、チャック継手６２の後端に当接しない。またそのとき、芯６９はチャック６０によって把持された状態にあるため、スライダー５３が前進することによって、芯の先端がストッパー５４の挿通孔を抜ける。
即ち、Ｌ１＝Ｐ−Ｌ２の関係にあり、このＬ１が後述する先部材５３ａからの芯の突出長さである（図３４参照）。
【００３４】
更に、図３０、図３１に示すように、スライダー５３の前進が阻止された状態で、ノック操作がなされ、芯ケース６４がさらに前進すると、リンクスプリング５９を圧縮しながらリンク５７が前進する。なお、図３１は上記と同様に図３０に示された断面と９０度ずれた断面を示している。
また、芯ケース６４の前方内孔に形成された内段部６４ｃも前進してチャック継手６２の後端に当接すると共に、チャック継手６２を介してチャック６０を前進させ、芯６９の把持が開放される。
そして、芯６９の把持が開放されると、芯６９は自重で落下して、芯６９の先端がストッパー５４の後端に当接した状態となる。ストッパー５４にかかる所定の押圧力は、最小でストッパーへの芯の自重による当接力である。
その状態からノック操作を解除して、芯ケース６４を後退させると、スライダー５３が最前進位置に保持されたまま、リンク５７とチャック継手６２が後退し、再び芯６９が把持される。また、その状態でリンク５７の係止部５７ｂがリンク継手５６のスリット部５６ａの後端に係止し、その時点からリンク継手５６が後退可能となる。また、それと共にスプリング５５の復帰力によってスライダー５３が後退可能となる。
その状態を図３２に示す。また、図３３は上記と同様に図３２に示された断面の９０度ずれた断面を示す図である。
【００３５】
そして、図３４、図３５に示すように、芯ケース６４が初期状態まで後退すると、スライダー５３の鍔部５３ｄの前面と口先部５２の後方の内段部との間隔が再びＰとなる。なお、図３４、図３５は９０度ずれた断面を示している。
そのとき、スプリング５５の附勢力は芯６９がストッパー５４を挿通する抵抗より十分強く設定されているので、芯６９の先端はストッパー５４を挿通し、先部材５３ａの前端から適宜長さで突出する。その突出長さＬ１は、上述したようにＬ１＝Ｐ−Ｌ２で規定される。
ところでＬ3 の寸法は、芯径の僅かなバラツキに対して無視できない大きさのバラツキを生じる欠点がある。従って、極端にはチャックに送り込まれる各芯ごとにＬ３の寸法が異なる。
しかしながら、第２の実施形態の場合、Ｐ＜Ｌ３に設定すれば、芯の突出長さＬ１は、Ｐ−Ｌ２で規定されるので上記のバラツキに影響されない。
そして、この状態から、再びノック動作しても、芯ケース５４が距離Ｌ３移動することによって、図２８、図２９に示すようにストッパー７は芯２２の前方へ抜ける。そして、前記した図３０（図３１）、図３２（図３３）に示した状態を経て、図３４（図３５）に示された状態になる。
このように、ノック動作を繰り返しても、図２８乃至図３５に示した動作を繰り返すことにより、芯６９は常に一定量しかスライダー５３より突出しない。また筆記によって芯６９が磨耗した場合も、この動作により所定の芯突出長さＬ１だけスライダー５３より突出可能である。
【００３６】
なお、芯の突出長さＬ１に関しては、芯の太さ、芯の硬度などにより最適値が異なる。  従って、最適な芯の突出長さを得るために間隔Ｐの寸法を調整する調整機構が設けられる。その一手段として、上述したように軸筒５１の後端外周部に天冠６６を螺合して、軸筒５１に対して天冠６６を回転させることにより芯ケース６４、リンクユニットを介してスライダー５３を前後動させて、間隔Ｐを調整可能としている。
以上のように、本発明にかかる芯繰り出し装置は、ノック操作により芯が一定長さで筆記具先端から突出され、且つノック操作を繰り返しても芯が一定長さに維持されるので、芯折れの問題や筆記中に無意識にノックして芯を繰り出してしまう問題が無く、先端が容易に視認されて使い勝手が良く、細い芯であってもチャックの把持部によって、芯が破損、損傷（いわゆる芯の食いちぎれ、芯表面の荒れ）を受ける懸念がないという効果を奏するものである。
【００３７】
（ストッパーの他の実施形態）
ところで、ストッパーは、スライダー前端近傍の内孔部に設けられて、後端に芯の前端が当接する段部を有した係止部として形成されてなり、その係止部の前方にスライダーの前端孔部が設けられており、芯の前端が前記段部に当接して所定の押圧力が懸かったときに係止部を弾性変形して芯が孔部に挿通可能となると共に、スライダーのストッパー後方内孔部が芯径より僅かに大きく設けられてなる。
本発明の芯繰り出し装置は、芯がスライダーに設けられたストッパーの後端に当接、且つストッパーを弾性変形させて挿通、離脱を頻繁に繰り返すことから、ストッパーの機能性を満足した耐久性を維持することが重要となる。前記所定の押圧力とは、芯を疎通させる加重であるが、概念として押圧力の最低値は芯の自重に対し支える最低加重ということになる。
【００３８】
図３６及び図３７に示されるストッパー９２ａは、スライダー９０の前方に設けられた先部材９１前端近傍の内孔部にゴムや軟質樹脂等の弾性体からなる筒状体９２が固定され、その内孔部９２ｃ略前端に周状の凸部として形成されている。このストッパー９２ａの後端面となる段部９２ｂは芯９４の前端が当接するとともに、所定の押圧力が懸かったときにストッパー９２ａを弾性変形して芯が挿通し、先部材９１前端の孔部９１ａから芯の前端が突出可能となる。また、前記段部９２ｂは、芯の前端を支え、且つストッパーの耐久性を良くする上で４５°の傾斜面が適当である。尚、傾斜面はアール面でも良いし、ストッパーは周状に非連続すなわち部分的に設けることもできる。また必要に応じて、先部材９１を耐磨耗性や潤滑性に優れた材質を選択したり、ストッパー部に耐磨耗性向上や潤滑性向上のためのコーティングが配慮される。
図３８及び図３９に示されるストッパー９５ａは、筒状体９５の内孔部前端に周状の凸部として形成されており、基本的には前記ストッパー９２ａと同じである。
【００３９】
図４０及び図４１に示されるストッパー９８ａは、スライダー９６の前方に設けられた先部材９７前端近傍の内孔部にゴムや軟質樹脂等の弾性体からなる筒状体９８が固定され、その内孔部前端に周状の凸部として形成されている。このストッパー９８ａの後端面となる段部９８ｂは芯９４の前端が当接するとともに、所定の押圧力が懸かったときにストッパー９８ａを弾性変形して芯が挿通し、先部材９７前端の孔部から芯の前端が突出可能となる。また、前記段部９８ｂは、芯の前端を支え、且つストッパーの耐久性を良くする上で４５°の傾斜面が適当である。尚、傾斜面はアール面でも良いし、ストッパーは周状に非連続すなわち部分的に設けることもできる。
また、前記筒状体９８は、先部材９７の内孔に固定され、前端の外周部９８ｃと先部材９７の内孔部９７ｃとの間に適宜隙間が設けられると共に、前端部９８ｄの前方に適宜空間が設けることができ、それによってストッパー９８ａは、耐久性に対して極めて潤沢な状態で弾性変形する。
また、筒状体９８は、外周部９８ｃと先部材９７の内孔部９７ｃとの間に適宜隙間が設けられ、前端部９８ｄの前方に適宜空間が設けられて、さらに鍔部９８ｅの前端が先部材９７の段部９７ｂに軸支されると共に、その前方部が内孔部９７ｃに対して微小に遊嵌された釣り下げ状態に設けられることで、筒状体９８が変形を受けること無く装着でき、ストッパー９８ａを所定位置に精度良く設定することが可能である。そしてまた、ストッパーの耐久性を一層向上させることも可能となる。
【００４０】
図４２乃至図４４に示されるストッパー１００ａは、スライダー９９の前方に設けられた先部材９９ａ前端近傍の内孔部に固定されたゴムや軟質樹脂等の弾性体からなる板状弾性体１００の前後面に所定箇所で切り込み１００ｂを入れた膜状の仕切り部として形成されている。
【００４１】
図４５乃至図４７に示されるストッパー１０４ａは、スライダー１０２の前方に設けられた先部材１０３前端近傍の内孔部に固定された硬質合成樹脂等の筒状体１０４の前端に周状に複数の弾性片１０４ｂが形成され、その弾性片１０４ｂの前端に凸部として形成されている。
【００４２】
図４８乃至図５０に示されるストッパー１０６ａは、スライダー１０５の前方に設けられた硬質合成樹脂製の先部材１０６前端近傍の内孔部に複数の弾性片１０６ｂが後方に向かって周状に一体で形成され、その弾性片１０６ｂの後端に凸部として形成されている。  
【００４３】
図５１及び図５２に示されるストッパー１１０ａは、スライダー１０８の前方に設けられた先部材１０９前端近傍の内孔部に固定された金属製のコイルバネ１１０をやや偏心状に形成して、前端に段部１１０ｂとして設けられている。
【００４４】
図５３乃至図５５に示されるストッパー１１４ａは、スライダー１１２の前方に設けられた先部材１１３前端近傍の内孔部に固定された金属製の筒状バネ体１１４の内径部に芯の前端が当接する段部として形成されている。
【００４５】
図５６乃至図５８に示されるストッパー１１７ａは、先部材１１６の後方外周に金属製バネ体１１７の捲線部が係止され、捲線部から前方に延出したストレート部１１７ｂの前端部が先部材に設けられたスリット部１１６ａに挿入され、その挿入した前端部に段部として形成されている。
【図面の簡単な説明】
【００４６】
【図１】本発明の第一の実施形態であるシャープペンシルの初期状態の全体を示す縦断面図である。
【図２】図１の部品を示す斜視図である。
【図３】芯把持機構の部品展開を示す斜視図である。
【図４】組上がった芯把持機構の斜視図である。
【図５】スライダーの部品展開を示す斜視図である。
【図６】組上がったスライダーの斜視図である。
【図７】芯把持機構断面図である。
【図８】第一の実施形態のシャープペンシルの作動状態を説明した図であって、筆記状態を示す断面図である。
【図９】第一の実施形態のシャープペンシルの作動状態を説明した図であって、ストッパーが芯保持を解除しているノック初期状態を示す断面図である。
【図１０】第一の実施形態のシャープペンシルの作動状態を説明した図であって、チャックが芯を開放したフルノック状態である。
【図１１】第一の実施形態のシャープペンシルの作動状態を説明した図であって、芯ケースが後退し、チャックに再び芯が把持される状態を示す断面図である。
【図１２】第一の実施形態のシャープペンシルの作動状態を説明した図であって、芯ケースが初期状態まで後退し、芯の先端が先部材の前端から適宜長さで突出する状態を示す断面図である。
【図１３】スライダーの変形例を示す斜視図である。
【図１４】図１３に示したスライダーに使用するストッパーを示す斜視図である。
【図１５】スライダーの変形例を示す斜視図である。
【図１６】図１５に示したスライダーに使用するストッパーを示す斜視図である。
【図１７】本発明の第二の実施形態である芯繰り出し装置の全体を示す縦断面斜視図である。
【図１８】第二の実施形態である芯繰り出し装置の部分ユニットと部品等を示した斜視図である。
【図１９】芯把持機構の部品展開を示す斜視図である。
【図２０】組上がった芯把持機構の斜視図である。
【図２１】リンクユニットの部品展開を示す斜視図である。
【図２２】組上がったリンクユニットの斜視図である。
【図２３】スライダーの部品展開を示す斜視図である。
【図２４】組上がったスライダーの斜視図である。
【図２５】第二の実施形態の芯繰り出し装置の作動状態を説明した図であって、スライダーの先部材の先端に芯がやや突出した状態を示す断面図である。
【図２６】図２７のＢ−Ｂ断面方向における、図２５に対応する断面図である。
【図２７】図２５のＡ−Ａ断面図を示している。
【図２８】後端をノックして芯ケースを前進させ、スライダーの鍔部の前面が口先部の後方の内段部に当接した状態を示す断面図である。
【図２９】図２８に対応する断面図である。
【図３０】スライダーの前進が阻止された状態で芯ケースを更に前進し、リンクとチャック継手を前進してチャックの芯の把持が開放された状態を示す断面図である。
【図３１】図３０に対応する断面図である。
【図３２】芯ケースが後退し、スライダーが最前進位置に保持されたままリンクとチャック継手が後退し、チャックに再び芯が把持される状態を示す断面図である。
【図３３】図３２に対応する断面図である。
【図３４】芯ケースが初期状態まで後退し、スライダーの鍔部の前面と口先部の後方の内段部との間隔が再びＰとなって、芯の先端が先部材の前端から適宜長さで突出する状態を示す。
【図３５】図３４に対応する断面図である。
【図３６】ストッパー（９２ａ）の他の実施形態を示す図である。
【図３７】ストッパー（９２ａ）の他の実施形態を示す図である。
【図３８】ストッパー（９５ａ）の他の実施形態を示す図である。
【図３９】ストッパー（９５ａ）の他の実施形態を示す図である。
【図４０】ストッパー（９８ａ）の他の実施形態を示す図である。
【図４１】ストッパー（９８ａ）の他の実施形態を示す図である。
【図４２】ストッパー（１００ａ）の他の実施形態を示す図である。
【図４３】ストッパー（１００ａ）の他の実施形態を示す図である。
【図４４】ストッパー（１００ａ）の他の実施形態を示す図である。
【図４５】ストッパー（１０４ａ）の他の実施形態を示す図である。
【図４６】ストッパー（１０４ａ）の他の実施形態を示す図である。
【図４７】ストッパー（１０４ａ）の他の実施形態を示す図である。
【図４８】ストッパー（１０６ａ）の他の実施形態を示す図である。
【図４９】ストッパー（１０６ａ）の他の実施形態を示す図である。
【図５０】ストッパー（１０６ａ）の他の実施形態を示す図である。
【図５１】ストッパー（１１０ａ）の他の実施形態を示す図である。
【図５２】ストッパー（１１０ａ）の他の実施形態を示す図である。
【図５３】ストッパー（１１４ａ）の他の実施形態を示す図である。
【図５４】ストッパー（１１４ａ）の他の実施形態を示す図である。
【図５５】ストッパー（１１４ａ）の他の実施形態を示す図である。
【図５６】ストッパー（１１７ａ）の他の実施形態を示す図である。
【図５７】ストッパー（１１７ａ）の他の実施形態を示す図である。
【図５８】ストッパー（１１７ａ）の他の実施形態を示す図である。
【図５９】従来のシャーペンシルの一般的な芯繰り出し装置の断面図である。
【図６０】実開昭５５−９９８８７で提案されている筆記芯ホルダーの断面図である。
【図６１】図３７に示した筆記芯ホルダーの動作状態を示す断面図である。
【図６２】図３７に示した筆記芯ホルダーの動作状態を示す断面図である。
【図６３】図３７に示した筆記芯ホルダーの動作状態を示す断面図である。
【符号の説明】
【００４７】
１          軸筒
１ａ        段部
２          口先部
２ａ        軸部
２ｂ        段部
２ｃ        段部
２ｄ        後端
３          スライダー
４          先部材
５          後部材
５ａ        段部
５ｂ        鍔
５ｃ        小径部
５ｄ        大径部
５ｅ        孔
６          ガイドパイプ
７          ストッパー
８          スプリング
９          芯把持機構
１０        固定筒
１０ａ      ガイド面
１０ｂ      先筒部
１１        チャック
１１ａ      把持部
１１ｂ      凸状の係止部
１２        締めリング
１３        チャック継手
１３ａ      軸部
１３ｂ      段部
１３ｃ      係止孔
１３ｄ      
１４        チャックスプリング
１５        芯ケース
１５ａ      脚部
１５ｂ      軸部
１５ｃ      鍔部
１５ｄ      段部
１６        天冠
１６ａ      内段
１７        ノックカバー
１８        スライダー
１９        ストッパー
１９ａ      弾性部
１９ｂ      硬質部
２０        スライダー
２１        ストッパー
２１ａ      弾性部
２１ｂ      硬質部
５１        軸筒
５１ａ      段部
５１ｂ      螺子部
５１ｃ      螺子部
５２        口先部
５２ａ      螺子部
５２ｂ      内段部
５２ｃ      段部
５３        スライダー
５３ａ      先部材
５３ｂ      後部材
５３ｃ      ガイドパイプ
５３ｄ      鍔部
５３ｅ      軸部
５３ｆ      孔
５４        ストッパー
５５        スプリング
５６        リンク継手
５６ａ      スリット部
５６ｂ      内段部
５７        リンク
５７ａ      筒部
５７ｂ      係止部
５７ｃ      脚部
５７ｄ      内段部
５８        固定筒
５８ａ      ガイド面
５８ｂ      先筒部
５９        リンクスプリング
６０        チャック
６０ａ      把持部
６０ｂ      係止部
６１        締めリング
６２        チャック継手
６２ａ      軸部
６２ｂ      段部
６２ｃ      係止孔
６３        チャックスプリング
６４        芯ケース
６４ａ      平坦部
６４ｂ      平坦部
６４ｃ      内段部
６４ｄ      軸部
６４ｅ      段部
６４ｆ      鍔部
６５        固定リング
６６        天冠
６６ａ      内段
６７        回転止めリング
６８        ノックカバー
６９        芯
７９        芯把持機構
８０        リンクユニット
９０        スライダー
９１        先部材
９１ａ      孔部
９２        筒状体
９２ａ      ストッパー
９２ｂ      段部
９２ｃ      内孔部
９３        押え部材
９４        芯
９５        筒状体
９５ａ      ストッパー
９５ｂ      段部
９６        スライダー
９７        先部材
９７ａ      内孔部
９７ｂ      段部
９７ｃ      内孔部
９８        筒状体
９８ａ      ストッパー
９８ｂ      段部
９８ｃ      外周部
９８ｄ      前端部
９８ｅ      鍔部
９８ｆ      押え部材
９９        スライダー
９９ａ      先部材
１００      板状弾性体
１００ａ    ストッパー
１００ｂ    切り込み
１０１      押え部材
１０２      スライダー
１０３      先部材
１０３ａ    段部
１０４      筒状体
１０４ａ    ストッパー
１０４ｂ    弾性片
１０４ｃ    段部
１０５      スライダー
１０６      先部材
１０６ａ    ストッパー
１０６ｂ    弾性片
１０６ｃ    スリット部
１０６ｄ    段部
１０７      押え部材
１０８      スライダー
１０９      先部材
１１０      コイル状バネ
１１０ａ    ストッパー
１１０ｂ    段部
１１１      押え部材
１１２      スライダー
１１３      先部材
１１４      筒状バネ体
１１４ａ    ストッパー
１１５      押え部材
１１６      先部材
１１６ａ    スリット部
１１７      バネ体
１１７ａ    ストッパー
１１７ｂ    ストレート部
１２３      軸筒
１２４      軸継手
１２５      チャック
１２６      締め具
１２７      芯ケース
１２８      チャックスプリング
１２９      芯
１３０      口先部
１３０ａ    段部
１３１      スライダー
１３１ａ    軸部  
１３２      先端パイプ
１３３      保持チャック
１５１      軸筒
１５１ａ    通孔
１５２      テーパー孔
１５３      チャック
１５４      芯ケース
１５４ａ    孔
１５５      芯
１５６      環状突起
１５７      コイルスプリング
１５８      コイルスプリング
１５９      支持腕
１６０      ストッパー
１６１      キャップ
【図１】
2006007531.tif 000003
【図２】
2006007531.tif 000004
【図３】
2006007531.tif 000005
【図４】
2006007531.tif 000006
【図５】
2006007531.tif 000007
【図６】
2006007531.tif 000008
【図７】
2006007531.tif 000009
【図８】
2006007531.tif 000010
【図９】
2006007531.tif 000011
【図１０】
2006007531.tif 000012
【図１１】
2006007531.tif 000013
【図１２】
2006007531.tif 000014
【図１３】
2006007531.tif 000015
【図１４】
2006007531.tif 000016
【図１５】
2006007531.tif 000017
【図１６】
2006007531.tif 000018
【図１７】
2006007531.tif 000019
【図１８】
2006007531.tif 000020
【図１９】
2006007531.tif 000021
【図２０】
2006007531.tif 000022
【図２１】
2006007531.tif 000023
【図２２】
2006007531.tif 000024
【図２３】
2006007531.tif 000025
【図２４】
2006007531.tif 000026
【図２５】
2006007531.tif 000027
【図２６】
2006007531.tif 000028
【図２７】
2006007531.tif 000029
【図２８】
2006007531.tif 000030
【図２９】
2006007531.tif 000031
【図３０】
2006007531.tif 000032
【図３１】
2006007531.tif 000033
【図３２】
2006007531.tif 000034
【図３３】
2006007531.tif 000035
【図３４】
2006007531.tif 000036
【図３５】
2006007531.tif 000037
【図３６】
2006007531.tif 000038
【図３７】
2006007531.tif 000039
【図３８】
2006007531.tif 000040
【図３９】
2006007531.tif 000041
【図４０】
2006007531.tif 000042
【図４１】
2006007531.tif 000043
【図４２】
2006007531.tif 000044
【図４３】
2006007531.tif 000045
【図４４】
2006007531.tif 000046
【図４５】
2006007531.tif 000047
【図４６】
2006007531.tif 000048
【図４７】
2006007531.tif 000049
【図４８】
2006007531.tif 000050
【図４９】
2006007531.tif 000051
【図５０】
2006007531.tif 000052
【図５１】
2006007531.tif 000053
【図５２】
2006007531.tif 000054
【図５３】
2006007531.tif 000055
【図５４】
2006007531.tif 000056
【図５５】
2006007531.tif 000057
【図５６】
2006007531.tif 000058
【図５７】
2006007531.tif 000059
【図５８】
2006007531.tif 000060
【図５９】
2006007531.tif 000061
【図６０】
2006007531.tif 000062
【図６１】
2006007531.tif 000063
【図６２】
2006007531.tif 000064
【図６３】
2006007531.tif 000065